【手続補正書】
【提出日】平成18年1月17日(2006.1.17)
【手続補正１】
【補正対象書類名】特許請求の範囲
【補正対象項目名】全文
【補正方法】変更
【補正の内容】
【特許請求の範囲】
【請求項１】
リードイン及びリードアウト領域間にビデオマネージャー及びｎ個のビデオタイトルセットが格納されている光ディスクであって、
前記ビデオマネージャー内にはタイトルサーチポインターテーブルを含むビデオマネージャー情報が存在し、前記タイトルサーチポインターテーブル内には前記ビデオタイトルセットのスタートアドレスが記載され、
前記ビデオタイトルセットには、前記ビデオタイトルセットを構成するビデオ、オーディオ及び副映像データが夫々格納されているビデオ、オーディオ及び副映像パックが連続して記録されているビデオオブジェクトセット及びこのビデオ、オーディオ及び副映像データの再生を制御するビデオタイトルセット情報が記録され、
前記ビデオオブジェクトセットは１以上のセルから構成され、前記セルの集合としてプログラムが定義され、前記プログラムからプログラムチェーンが形成され、前記各セルは１以上のビデオオブジェクトユニットから構成され、
前記ビデオタイトルセット情報は、当該ビデオタイトルセットのビデオ、オーディオ及び副映像を適切に再生するビデオ属性情報、オーディオ属性情報及び副映像属性情報を含み、
前記ビデオタイトルセット情報はビデオタイトルセットプログラムチェーン情報テーブルを含み、前記ビデオタイトルセットプログラムチェーン情報テーブル内にＶＴＳ_ＰＧＣＩサーチポインタと上記プログラムチェーンに対応したビデオタイトルセット内のＰＧＣ情報が設けられており、ビデオタイトルセット内の前記ＰＧＣ情報はセル再生情報を含み、
前記ビデオタイトルセット情報内に前記ビデオタイトルセットプログラムチェーン情報テーブルのスタートアドレスが記録されており、前記ＶＴＳ_ＰＧＣＩサーチポインタ内にはビデオタイトルセット内の前記ＰＧＣ情報のスタートアドレスが記述され、前記セル再生情報内には前記セル中の最初に存在する前記ビデオオブジェクトユニットのスタートアドレスが記載されている光ディスクからデータを再生する再生装置において、
前記光ディスクを検索する検索手段と、
前記属性情報テーブルから前記ビデオタイトルセットの前記ビデオ、オーディオ及び副映像属性情報を取得する取得手段と、及び
前記ビデオ、オーディオ及び副映像パックをデコードするビデオ、オーディオ及び副映像デコーダと、
を具備することを特徴とする再生装置。
【請求項２】
前記取得手段は、前記再生データの再生前に、前記ビデオタイトルセットを特定するとともにこの特定されたビデオタイトルセットに対応する前記属性サーチポインタを参照して前記管理領域の前記属性情報テーブルから前記特定されたビデオタイトルセットの前記ビデオ、オーディオ及び副映像属性情報を取得することを特徴とする請求項１の再生装置。
【請求項３】
ビデオ、オーディオ及び副映像データを夫々エンコードし、エンコードされたビデオ、オーディオ及び副映像データをビデオ、オーディオ及び副映像パックに格納し、再生対象としての前記ビデオ、オーディオ及び副映像パックを配列してビデオオブジェクトユニットを構成し、１以上の前記ビデオオブジェクトユニットからセルを形成し、前記セルの集合としてプログラムを定義し、前記プログラムからプログラムチェーンを形成してビデオタイトルセット用のビデオオブジェクトセットを生成し、
前記セル中の最初に存在する前記ビデオオブジェクトユニットのスタートアドレスを含むセル再生情報を生成し、前記セル再生情報を含み前記プログラムチェーンに対応したＰＧＣ情報を生成し、
前記ＰＧＣ情報のスタートアドレスを含むＶＴＳ_ＰＧＣＩサーチポインタを生成し、前記ＶＴＳ_ＰＧＣＩサーチポインタと前記ＰＧＣ情報からプログラムチェーン情報テーブルを構成し、
前記プログラムチェーン情報テーブルと前記ビデオ、オーディオ及び副映像データに関するビデオ属性情報、オーディオ属性情報及び副映像属性情報を含み、前記ビデオ、オーディオ及び副映像データの再生を制御するビデオタイトルセット情報を生成し、
前記ビデオタイトルセット情報及び前記ビデオオブジェクトセットでビデオタイトルセットを生成し、
同様にｎ個のビデオタイトルセットを生成し、
光ディスクのリードイン領域及びリードアウト領域間に前記ｎ個のビデオタイトルセットを記録することを特徴とする光ディスクの記録方法。
【請求項４】
ビデオマネージャー記録領域と１以上のビデオタイトルセットを記録する領域を有する光ディスクであり、
それぞれの前記ビデオタイトルセット内にはビデオタイトルセット情報とビデオタイトルセットのタイトル用のビデオオブジェクトセットが存在し、
前記ビデオタイトルセットのタイトル用のビデオオブジェクトセットは１以上のセルから構成され、前記セルの集合としてプログラムが定義され、前記プログラムからプログラムチェーンが形成され、
前記各セルは１以上のビデオオブジェクトユニットから構成され、
前記ビデオタイトルセット情報はビデオタイトルセットプログラムチェーン情報テーブルを含み、
前記ビデオタイトルセットプログラムチェーン情報テーブル内にＶＴＳ_ＰＧＣＩサーチポインタと前記プログラムチェーンに対応したビデオタイトルセット内のＰＧＣ情報が設けられており、
ビデオタイトルセット内の前記ＰＧＣ情報はセル再生情報を含み、
前記ビデオマネージャー記録領域内にはビデオマネージャー情報とビデオマネージャーメニュー用のビデオオブジェクトセットとが存在し、
前記ビデオマネージャー情報はビデオ管理情報管理テーブルとタイトルサーチポインターテーブルとを含み、
前記ビデオ管理情報管理テーブル内には前記ビデオマネージャーメニュー用のビデオオブジェクトセットの属性を表すビデオデータ属性情報とオーディオストリーム属性情報及び副映像ストリーム属性情報とが記録されており、
前記タイトルサーチポインターテーブル内には１以上のタイトルサーチポインタが記載されている光ディスクにおいて、
１個の前記タイトルサーチポインタ内には前記ビデオタイトルセットの番号情報と前記ビデオタイトルセットのスタートアドレスが記載され、
前記ビデオタイトルセットの前記スタートアドレスに対応した位置に記録されている前記ビデオタイトルセット情報はビデオタイトルセット情報の管理テーブルを含み、
ビデオタイトルセット情報の前記管理テーブル内には前記ビデオタイトルセットのタイトル用の前記ビデオオブジェクトセットの属性を表すビデオ属性情報とオーディオストリーム属性情報及び副映像ストリーム属性情報と前記ビデオタイトルセットプログラムチェーン情報テーブルのスタートアドレスが記録されており、
前記ＶＴＳ_ＰＧＣＩサーチポインタ内にはビデオタイトルセット内の前記ＰＧＣ情報のスタートアドレスが記述され、
前記セル再生情報内には前記セル中の最初に存在する前記ビデオオブジェクトユニットのスタートアドレスが記載されており、
前記ビデオタイトルセット情報に基付きビデオタイトルセットのタイトル用のビデオオブジェクトセットを再生することを特徴とする再生方法。
【請求項５】
ビデオタイトルセットのタイトル用のビデオオブジェクトセット内にビデオデータとオーディオデータ、副映像データが含まれ、
前記ビデオデータをデコードするビデオデータデコード手段と
前記オーディオデータをデコードするオーディオデータデコード手段と
前記副映像データをデコードする副映像データデコード手段
を具備したことを特徴とする特許請求の範囲第４項記載の再生方法。
【請求項６】
ビデオマネージャーと１以上のビデオタイトルセットを記録する記録方法において、
それぞれの前記ビデオタイトルセットはビデオタイトルセット情報とビデオタイトルセットのタイトル用のビデオオブジェクトセットから構成され、
前記ビデオタイトルセットのタイトル用のビデオオブジェクトセットは１以上のセルから構成され、前記セルの集合としてプログラムが定義され、前記プログラムからプログラムチェーンが形成され、
前記各セルは１以上のビデオオブジェクトユニットから構成され、
前記ビデオタイトルセット情報はビデオタイトルセットプログラムチェーン情報テーブルを含み、
前記ビデオタイトルセットプログラムチェーン情報テーブル内にＶＴＳ_ＰＧＣＩサーチポインタと前記プログラムチェーンに対応したビデオタイトルセット内のＰＧＣ情報が設けられており、
ビデオタイトルセット内の前記ＰＧＣ情報はセル再生情報を含み、
前記ビデオマネージャー記録領域内にはビデオマネージャー情報とビデオマネージャーメニュー用のビデオオブジェクトセットとが存在し、
前記ビデオマネージャー情報はビデオ管理情報管理テーブルとタイトルサーチポインターテーブルとを含み、
前記ビデオ管理情報管理テーブル内には前記ビデオマネージャーメニュー用のビデオオブジェクトセットの属性を表すビデオデータ属性情報とオーディオストリーム属性情報及び副映像ストリーム属性情報とを含み、
前記タイトルサーチポインターテーブル内には１以上のタイトルサーチポインタが含まれ、
１個の前記タイトルサーチポインタ内には前記ビデオタイトルセットの番号情報と前記ビデオタイトルセットのスタートアドレスが含まれるように前記ビデオマネージャー情報を構成し、
前記ビデオタイトルセットの前記スタートアドレスに対応した位置に記録されるべき前記ビデオタイトルセット情報はビデオタイトルセット情報の管理テーブルを含み、
前記ビデオタイトルセット情報の管理テーブル内には前記ビデオタイトルセットのタイトル用のビデオオブジェクトセットの属性を表すビデオ属性情報とオーディオストリーム属性情報及び副映像ストリーム属性情報と前記ビデオタイトルセットプログラムチェーン情報テーブルのスタートアドレスが存在し、
前記ＶＴＳ_ＰＧＣＩサーチポインタ内にはビデオタイトルセット内の前記ＰＧＣ情報のスタートアドレスが含まれ、
前記セル再生情報内には前記セル中の最初に存在する前記ビデオオブジェクトユニットのスタートアドレスが含まれるように前記ビデオタイトルセット情報を構成し、
前記ビデオマネージャー情報と前記ビデオマネージャーメニュー用のビデオオブジェクトセットと前記ビデオタイトルセット情報と前記ビデオタイトルセットのタイトル用のビデオオブジェクトセットを記録することを特徴とする記録方法。
【手続補正２】
【補正対象書類名】明細書
【補正対象項目名】０００９
【補正方法】変更
【補正の内容】
【０００９】
この発明によれば、
リードイン及びリードアウト領域間にビデオマネージャー及びｎ個のビデオタイトルセットが格納されている光ディスクであって、
前記ビデオマネージャー内にはタイトルサーチポインターテーブルを含むビデオマネージャー情報が存在し、前記タイトルサーチポインターテーブル内には前記ビデオタイトルセットのスタートアドレスが記載され、
前記ビデオタイトルセットには、前記ビデオタイトルセットを構成するビデオ、オーディオ及び副映像データが夫々格納されているビデオ、オーディオ及び副映像パックが連続して記録されているビデオオブジェクトセット及びこのビデオ、オーディオ及び副映像データの再生を制御するビデオタイトルセット情報が記録され、
前記ビデオオブジェクトセットは１以上のセルから構成され、前記セルの集合としてプログラムが定義され、前記プログラムからプログラムチェーンが形成され、前記各セルは１以上のビデオオブジェクトユニットから構成され、
前記ビデオタイトルセット情報は、当該ビデオタイトルセットのビデオ、オーディオ及び副映像を適切に再生するビデオ属性情報、オーディオ属性情報及び副映像属性情報を含み、
前記ビデオタイトルセット情報はビデオタイトルセットプログラムチェーン情報テーブルを含み、前記ビデオタイトルセットプログラムチェーン情報テーブル内にＶＴＳ_ＰＧＣＩサーチポインタと上記プログラムチェーンに対応したビデオタイトルセット内のＰＧＣ情報が設けられており、ビデオタイトルセット内の前記ＰＧＣ情報はセル再生情報を含み、
前記ビデオタイトルセット情報内に前記ビデオタイトルセットプログラムチェーン情報テーブルのスタートアドレスが記録されており、前記ＶＴＳ_ＰＧＣＩサーチポインタ内にはビデオタイトルセット内の前記ＰＧＣ情報のスタートアドレスが記述され、前記セル再生情報内には前記セル中の最初に存在する前記ビデオオブジェクトユニットのスタートアドレスが記載されている光ディスクからデータを再生する再生装置において、
前記光ディスクを検索する検索手段と、
前記属性情報テーブルから前記ビデオタイトルセットの前記ビデオ、オーディオ及び副映像属性情報を取得する取得手段と、及び
前記ビデオ、オーディオ及び副映像パックをデコードするビデオ、オーディオ及び副映像デコーダと、
を具備することを特徴とする再生装置が提供される。
また、この発明によれば、
ビデオ、オーディオ及び副映像データを夫々エンコードし、エンコードされたビデオ、オーディオ及び副映像データをビデオ、オーディオ及び副映像パックに格納し、再生対象としての前記ビデオ、オーディオ及び副映像パックを配列してビデオオブジェクトユニットを構成し、１以上の前記ビデオオブジェクトユニットからセルを形成し、前記セルの集合としてプログラムを定義し、前記プログラムからプログラムチェーンを形成してビデオタイトルセット用のビデオオブジェクトセットを生成し、
前記セル中の最初に存在する前記ビデオオブジェクトユニットのスタートアドレスを含むセル再生情報を生成し、前記セル再生情報を含み前記プログラムチェーンに対応したＰＧＣ情報を生成し、
前記ＰＧＣ情報のスタートアドレスを含むＶＴＳ_ＰＧＣＩサーチポインタを生成し、前記ＶＴＳ_ＰＧＣＩサーチポインタと前記ＰＧＣ情報からプログラムチェーン情報テーブルを構成し、
前記プログラムチェーン情報テーブルと前記ビデオ、オーディオ及び副映像データに関するビデオ属性情報、オーディオ属性情報及び副映像属性情報を含み、前記ビデオ、オーディオ及び副映像データの再生を制御するビデオタイトルセット情報を生成し、
前記ビデオタイトルセット情報及び前記ビデオオブジェクトセットでビデオタイトルセットを生成し、
同様にｎ個のビデオタイトルセットを生成し、
光ディスクのリードイン領域及びリードアウト領域間に前記ｎ個のビデオタイトルセットを記録することを特徴とする光ディスクの記録方法が提供される。
【手続補正３】
【補正対象書類名】明細書
【補正対象項目名】００１０
【補正方法】変更
【補正の内容】
【００１０】
更に、この発明によれば、  ビデオマネージャー記録領域と１以上のビデオタイトルセットを記録する領域を有する光ディスクであり、
それぞれの前記ビデオタイトルセット内にはビデオタイトルセット情報とビデオタイトルセットのタイトル用のビデオオブジェクトセットが存在し、
前記ビデオタイトルセットのタイトル用のビデオオブジェクトセットは１以上のセルから構成され、前記セルの集合としてプログラムが定義され、前記プログラムからプログラムチェーンが形成され、
前記各セルは１以上のビデオオブジェクトユニットから構成され、
前記ビデオタイトルセット情報はビデオタイトルセットプログラムチェーン情報テーブルを含み、
前記ビデオタイトルセットプログラムチェーン情報テーブル内にＶＴＳ_ＰＧＣＩサーチポインタと前記プログラムチェーンに対応したビデオタイトルセット内のＰＧＣ情報が設けられており、
ビデオタイトルセット内の前記ＰＧＣ情報はセル再生情報を含み、
前記ビデオマネージャー記録領域内にはビデオマネージャー情報とビデオマネージャーメニュー用のビデオオブジェクトセットとが存在し、
前記ビデオマネージャー情報はビデオ管理情報管理テーブルとタイトルサーチポインターテーブルとを含み、
前記ビデオ管理情報管理テーブル内には前記ビデオマネージャーメニュー用のビデオオブジェクトセットの属性を表すビデオデータ属性情報とオーディオストリーム属性情報及び副映像ストリーム属性情報とが記録されており、
前記タイトルサーチポインターテーブル内には１以上のタイトルサーチポインタが記載されている光ディスクにおいて、
１個の前記タイトルサーチポインタ内には前記ビデオタイトルセットの番号情報と前記ビデオタイトルセットのスタートアドレスが記載され、
前記ビデオタイトルセットの前記スタートアドレスに対応した位置に記録されている前記ビデオタイトルセット情報はビデオタイトルセット情報の管理テーブルを含み、
ビデオタイトルセット情報の前記管理テーブル内には前記ビデオタイトルセットのタイトル用の前記ビデオオブジェクトセットの属性を表すビデオ属性情報とオーディオストリーム属性情報及び副映像ストリーム属性情報と前記ビデオタイトルセットプログラムチェーン情報テーブルのスタートアドレスが記録されており、
前記ＶＴＳ_ＰＧＣＩサーチポインタ内にはビデオタイトルセット内の前記ＰＧＣ情報のスタートアドレスが記述され、
前記セル再生情報内には前記セル中の最初に存在する前記ビデオオブジェクトユニットのスタートアドレスが記載されており、
前記ビデオタイトルセット情報に基付きビデオタイトルセットのタイトル用のビデオオブジェクトセットを再生することを特徴とする再生方法が提供される。
更にまた、この発明によれば、
ビデオマネージャーと１以上のビデオタイトルセットを記録する記録方法において、
それぞれの前記ビデオタイトルセットはビデオタイトルセット情報とビデオタイトルセットのタイトル用のビデオオブジェクトセットから構成され、
前記ビデオタイトルセットのタイトル用のビデオオブジェクトセットは１以上のセルから構成され、前記セルの集合としてプログラムが定義され、前記プログラムからプログラムチェーンが形成され、
前記各セルは１以上のビデオオブジェクトユニットから構成され、
前記ビデオタイトルセット情報はビデオタイトルセットプログラムチェーン情報テーブルを含み、
前記ビデオタイトルセットプログラムチェーン情報テーブル内にＶＴＳ_ＰＧＣＩサーチポインタと前記プログラムチェーンに対応したビデオタイトルセット内のＰＧＣ情報が設けられており、
ビデオタイトルセット内の前記ＰＧＣ情報はセル再生情報を含み、
前記ビデオマネージャー記録領域内にはビデオマネージャー情報とビデオマネージャーメニュー用のビデオオブジェクトセットとが存在し、
前記ビデオマネージャー情報はビデオ管理情報管理テーブルとタイトルサーチポインターテーブルとを含み、
前記ビデオ管理情報管理テーブル内には前記ビデオマネージャーメニュー用のビデオオブジェクトセットの属性を表すビデオデータ属性情報とオーディオストリーム属性情報及び副映像ストリーム属性情報とを含み、
前記タイトルサーチポインターテーブル内には１以上のタイトルサーチポインタが含まれ、
１個の前記タイトルサーチポインタ内には前記ビデオタイトルセットの番号情報と前記ビデオタイトルセットのスタートアドレスが含まれるように前記ビデオマネージャー情報を構成し、
前記ビデオタイトルセットの前記スタートアドレスに対応した位置に記録されるべき前記ビデオタイトルセット情報はビデオタイトルセット情報の管理テーブルを含み、
前記ビデオタイトルセット情報の管理テーブル内には前記ビデオタイトルセットのタイトル用のビデオオブジェクトセットの属性を表すビデオ属性情報とオーディオストリーム属性情報及び副映像ストリーム属性情報と前記ビデオタイトルセットプログラムチェーン情報テーブルのスタートアドレスが存在し、
前記ＶＴＳ_ＰＧＣＩサーチポインタ内にはビデオタイトルセット内の前記ＰＧＣ情報のスタートアドレスが含まれ、
前記セル再生情報内には前記セル中の最初に存在する前記ビデオオブジェクトユニットのスタートアドレスが含まれるように前記ビデオタイトルセット情報を構成し、
前記ビデオマネージャー情報と前記ビデオマネージャーメニュー用のビデオオブジェクトセットと前記ビデオタイトルセット情報と前記ビデオタイトルセットのタイトル用のビデオオブジェクトセットを記録することを特徴とする記録方法が提供される。